(57)【特許請求の範囲】
【請求項１】
入力信号−伝送ラインを接続するための少なくとも１つの入力ポート、出力信号−伝送ラインを接続するための複数の出力ポート、一組の機能的回路モジュール、および一列のＮ個（Ｎ＝２，３，４，…）のモジュール位置をもち、それぞれが一組の回路モジュールから１つの回路モジュールをプラグ・インするように設計されたラック構造からなる信号バスを経て少なくとも１つの入力ポートを複数の出力ポートと相互接続するための相互接続装置において、信号バスが、１以上の分離バス・セグメントからなり、各バス・セグメントがラック構造上のモジュール位置と一組の回路モジュールから１以上の連続モジュール位置にプラグ・インされる回路モジュール上のバス部分との間のバス部分からなることを特徴とする相互接続装置。
【請求項２】
前記一組の回路モジュールがバス入力機能、バス相互接続機能およびバス出力機能を有するバス部分に対する信号回路を備えた回路モジュールからなる請求項１の装置。
【請求項３】
相互接続装置が一列のＮ個の入力ポートと一列のＮ個の出力ポートを有し、一組の回路モジュールからの各回路モジュールが一組の４つのコネクタを有し、各モジュール位置が一組の４つの対応カウンタを有し、第１コネクタが第１対応コネクタに対応し、第２コネクタが第２対応コネクタに対応し、
ｊ（ｊ＝１，２，…，Ｎ）番目のモジュール位置について、
第１対応コネクタがラック構造を経てｊ番目の入力ポートにつながれ、
第２対応コネクタがラック構造を経て一列のＮ個のモジュール位置（ここでｊ≠１）から（ｊ−１）番目のモジュール位置の第３対応コネクタにつながれ、
第４対応コネクタがラック構造を経てｊ番目の出力ポートにつながれ、
バス入力機能に対するバス部分をもつ回路モジュールが第１コネクタが第３コネクタにつながれている信号回路を有し、バス相互接続機能に対するバス部分をもつ回路モジュールが第２コネクタが第３コネクタにつながれている信号回路を有し、バス出力機能に対するバス部分をもつ回路モジュールが第１・２コネクタの少なくとも１つのコネクタが第４コネクタにつながれている信号回路を有することを特徴とする請求項２の装置。
【請求項４】
少なくとも１つの入力ポートと出力ポートとの間の相互接続が双方向信号接続であることを特徴とする請求項１〜３のいずれか１項の装置。
【請求項５】
入力ポートが光信号−入力ポートで、出力ポートが光信号−出力ポートで、バス部分が光コンダクタを有することを特徴とする請求項１〜３のいずれか１項の装置。
【請求項６】
一組の回路モジュールが光アンプをもつ回路モジュールを含んでいることを特徴とする請求項５の装置。
【請求項７】
一組の回路モジュールが、Ｍ（Ｍ＝２，３，…）出力をもつ光−信号スプリッタを有するバス出力機能に対するバス部分をもつ回路モジュールを含み、問題の回路モジュールの第４コネクタ、問題の回路モジュールにプラグ・インされるモジュール位置の第４対応コネクタおよび結合出力ポートがＭ重に構成されていることを特徴とする請求項５の装置。
【請求項８】
光−信号スプリッタのＭ個の出力の各々において、光アンプが含まれていることを特徴とする請求項７の装置。
【請求項９】
入力ポートが電気信号−入力ポートで出力ポートが光信号−出力ポートで、一組の回路モジュールがＥ／Ｏ（電気／光）トランスデューサをもつ回路モジュールを含むことを特徴とする請求項１〜３のいずれか１項の装置。
【請求項１０】
Ｅ／Ｏトランスデューサを備え、バス出力機能に対するバス部分をもつ回路モジュールが、さらに光アンプを備えていることを特徴とする請求項９の装置。
【請求項１１】
Ｅ／Ｏトランスデューサを備え、バス出力機能に対するバス部分をもつ回路モジュールが、さらにＭ（Ｍ＝２，３，…）出力をもつ光−信号スプリッタを有し、問題の回路モジュールの第４コネクタ、問題の回路モジュールにプラグ・インされるモジュール位置の第４対応コネクタおよび結合出力ポートがＭ重に構成されていることを特徴とする請求項９の装置。
【請求項１２】
入力ポートがスーパーＰＯＮのフィーダの信号−伝送ラインを接続するように設計され、出力ポートが受動光ネットワークの開フィーダを接続するように設計されていることを特徴とする請求項２又は３の装置。
【請求項１３】
入力ポートが電気入力ポートで、信号バスが電気バスで、バス出力機能に対するバス部分をもつ回路モジュールがＥ／Ｏトランスデューサを有していることを特徴とする請求項１２の装置。
【請求項１４】
入力ポートが電気入力ポートで、信号バスが光信号バスで、バス入力機能に対するバス部分をもつ回路モジュールがＥ／Ｏトランスデューサを有していることを特徴とする請求項１２の装置。
【請求項１５】
一組の回路モジュールが少なくとも２つのバス機能の結合をもつバス部分に対する信号回路を有する回路モジュールからなることを特徴とする請求項１２の装置。
【請求項１６】
回路モジュールが、相互接続装置をモジュール位置に差し込むための一組の４つのコネクタ、およびバス部分によって遂行されるバス機能として、一組の４つのコネクタの少なくとも２つの間の相互信号接続を与える信号回路を有することを特徴とする請求項１〜１５のいずれか１項の相互接続装置においてバス部分を形成するための回路モジュール。
【請求項１７】
一組の４つのコネクタが光コネクタであることを特徴とする請求項１６の回路モジュール。
【請求項１８】
信号回路が光アンプを含むことを特徴とする請求項１７の回路モジュール。
【請求項１９】
光アンプが双方向アンプであることを特徴とする請求項１８の回路モジュール。
【請求項２０】
一組の４つのコネクタが少なくとも１つの電気コネクタと１つの光コネクタを含むことを特徴とする請求項１６の回路モジュール。
【請求項２１】
信号回路がＥ／Ｏトランスデューサを含むことを特徴とする請求項２０の回路モジュール。
【請求項２２】
信号回路がＥ／Ｏトランスデューサと光アンプを含むことを特徴とする請求項２０の回路モジュール。
【請求項２３】
信号回路が双方向Ｅ／Ｏトランスデューサと双方向光アンプを含むことを特徴とする請求項２０の回路モジュール。
【請求項２４】
信号回路が、Ｍ重に構成された少なくとも１つの光コネクタにつながれたＭ（Ｍ＝２，３，…）個の出力をもつ光信号スプリッタを含むことを特徴とする請求項１６〜２３のいずれか１項の回路モジュール。
【発明の詳細な説明】
〔産業上の利用分野〕
本発明は、たとえば受動光ネットワーク（ＰＯＮｓ）にもとづくネットワーク構造のような信号送信用ネットワーク構造の分野に属し、信号−送信ライン間の相互接続を開設し維持するためのネットワーク部材を含んでいる。さらに詳しくは、本発明は信号バスを経て少なくとも１つの信号入力ポートをいくつかの信号出力ポートと相互持続するための相互接続装置に関するものである。
〔従来技術とその問題点〕
現在、たとえば参考文献〔１〕に開示されているようなスーパーＰＯＮｓと呼ばれるネットワーク構造が開発されつつある。スーパーＰＯＮは高スプリット率と広範囲を可能にするための光アンプをもつＡＰＯＮ（受動光ネットワークにわたるＡＴＭ）である。ＡＰＯＮは一つの受動光ネットワークで、たとえば参考文献〔２〕に開示されているようなＡＴＭ（非同期転送モード）にもとづいて信号伝送を行う。スーパーＰＯＮにおける必須の「コンポーネント」は結合増幅・スプリット機能をもつローカル・ノードである。このようなローカル・ノードにおいて、スイッチ機能を持つメイン・ノードから出て「フィーダ」を経て供給される通信信号が、必要であれば増幅され、ネットワーク・ユーザーに対する非常に多数の接続オプションをもついくつかの受動光ネットワークに分配される。この通信信号は光フィーダを経て光信号として供給される。また通信信号は、フィーダとしてたとえばＳＤＨ（同期デジタル階層）送信システムをもつ電気信号としても供給されることができ、このときローカル・ノードもＯＬＴ（光ライン終結）機能をもつ。しかし、このような大きさのネットワークは、接続数および／または単位接続当りの容量における拡張性に関して、高度の柔軟性を必要とする。この柔軟性は、ユーザー数がふえ、ユーザー当りの容量をもっとふやせという要求があった場合、光リンクを経て家庭接続に広帯域サービスを導入するために特に重要である。さらに、拡張を行う場合、中断時間が省かれないとしても、少なくともできるだけ限られなければならない。このような柔軟性は、もともと限られた容量のみが使われる現実の設置に対して準備され、将来に対して調整された既設相互接続容量をもつ相互接続装置が置かれてあれば、ローカル・ノード内で達成され得る。
ここで必要なことの一つは、相互接続装置が最初のネットワーク、すなわちスーパーＰＯＮの分割を比較的簡単な仕方でさせることである。すなわち、ネットワークは２つ（以上）のセパレート部分に分割され、その各部分がそれ自身ふたたび同一タイプのネットワークを形成する。この場合、スーパーＰＯＮはフィーダに対しそれ自身の接続を有している。相互接続における柔軟性を達成するため、１つの信号バスといくつかのモジュール位置をもつ背面構造のようなラック構造にもとづく装置が知られている。このモジュール位置で、各種信号処理機能すなわちＩ／Ｏ機能をもつ電気および／または光回路を使って、たとえばプラグイン・ボードの形をした回路モジュールにプラグが差し込まれる。その結果、信号バスを経て回路モジュール間の相互接続が行われる。基本的に、回路モジュールは交換しやすい。光信号バスをもつこのような相互接続装置は、たとえば参考文献〔３〕に開示されている。この光信号バスは背面内にいくつかの平行なファイバーを有し、背面上に特定接続ブロックを経て相互接続するための連結ボード状回路モジュールがある。しかし、そのような信号バスをもつ相互接続装置は所望の分割を簡単な仕方でさせることができない。
〔課題を解決するための本発明の構成〕
本発明の目的は、所望の分割を比較的簡単な仕方で実現できる上記タイプの相互接続装置を提供することにある。この点で、本発明は信号バスがラック構造に完全に位置する必要がなく、回路モジュールが信号バスの交換可能な一部を形成し得るという二つの洞察にもとづいている。
この目的を達成するため、本発明の請求項１の前文に従う、および参考文献〔３〕に開示されたタイプの相互接続装置が請求項１におけるように特徴付けられている。
第１実施例において、相互接続装置は請求項２におけるように特徴付けられている。こうして、最も基本的なバス機能をもつバス分割が実現される。
回路モジュールをモジュール位置にプラグ・イン可能にするため、回路モジュールとモジュール位置はそれぞれ、いくつかのコネクタとそれに合う対応コネクタを備えている。ラック構造を経て対応コネクタ間に、および回路モジュール上でコネクタ間に適当な結合がなされる場合、４という数が最適であることがわかった。したがって、第２実施例では、相互接続装置は請求項３におけるように特徴付けられている。
さらに、本発明は請求項１６におけるように特徴付けられた本発明による相互接続装置においてバスの一部を形成するための回路モジュールを提供する。
さらなる実施例はさらなるサブクレームに要約されている。
参考文献〔４〕は各種機能をもつ回路モジュールがプラグ・インされる背面構造を開示している。これに関して、背面はさまざまな回路モジュール間の相互接続を与える。各回路モジュールはＩ／Ｏ機能をもつ分離ポートを与えられ、該ポートは背面を経て外部接続のため相互接続モジュール上でプラグ・インされる。さらに、参考文献〔５〕は背面といくつかのモジュール位置をもつラック構造を開示し、該モジュール位置で回路モジュールがプラグ・インされ、背面は回路モジュール間に相互接続するための導電プリント・トラックを与えられている。回路モジュールとモジュール位置は特定の光コネクタ−対応コネクタ対を与えられ、２つの連続モジュール位置の対応コネクタがラック構造を経て光的に相互接続されている。しかし、参考文献〔４〕と〔５〕において、背面を経て回路モジュール間を相互接続するために使われる信号バスが全く開示されておらず、ましてや回路モジュールが信号−バス機能をもつことについては言うまでもなく開示されていない。
〔参考文献〕
〔１〕Ｍ．Ｏ．ファン・デベンテル他「ＡＣＴＳ−ＰＬＡＮＥＴからの双方向スーパーＰＯＮｓを１００ｋｍにわたり２０４８スプリットさせるための構造」ＳＰＩＥ  ２９１９巻、紹介論文２９１９−２５、第２４２−２５１ページ、１９９６年
〔２〕Ｇ．ファン・デア・プラス「ＡＰＯＮ：ＡＴＭにもとづくＦＩＴＬシステム」ＥＦＯＣ  ＆  Ｎ’９３、光アクセス・ネットワーク、論文４６、第９〜９５ページ、１９９３年
〔３〕ＷＯ  ９５／２０７７２
〔４〕英国特許出願第２２９９４５９号
〔５〕欧州特許出願第０３４７０３７号
これらの参考文献は本明細書内に取り入れられているとみなされる。
【図面の簡単な説明】
以下、次の図からなる図面を用いて本発明をさらに詳しく説明する。
〔図１〕本発明の相互接続装置の第１実施例を示す概略構成図、
〔図２〕図１の装置の回路モジュールの８タイプ（ａ）〜（ｈ）を示す図、
〔図３〕回路モジュールなしにスーパーＰＯＮのローカル・ノードに適用するための本発明の装置の第２実施例を示す概略構成図、
〔図４〕図３の装置の回路モジュールの５タイプ（ａ）〜（ｅ）を示す図、
〔図５．１〕〜〔図５．３〕それぞれ相互接続の第１〜第３段階に対する回路モジュールをもつ図３の装置の例を示す概略構成図、
〔図６〕本発明の装置のさらに４つのタイプ（ａ）〜（ｄ）の回路モジュールを示す図。
〔実施例〕
図１は本発明の相互接続装置の第１実施例を概略的に示している。該装置は入力ボード１０．１、背面１０．２および出力ボード１０．３にサブ分割されるラック構造１０からなっている。入力ボードは１１．１から１１．ＮまでＮ個の入力ポートを有し、各ポートは入力信号−伝送ライン１２を接続するために適切であり、出力ボードは１３．１から１３．Ｎまで同じくＮ個の出力ポートを有し、各ポートは出力信号−伝送ライン１４を接続するために適している。背面は１５．１から１５．ＮまでＮ個の一列のモジュール位置を有している。各モジュール位置１５．ｊ（ｊ＝１，２，…，Ｎ）は回路モジュール１６をプラグ・インさせるように設計されている。このため、回路モジュール１６は１７．１から１７．４まで４つのコネクタを有し、モジュール位置１５．ｊは１８．１から１８．４まで４つのそれに合う対応コネクタを有している。各モジュール位置１５．ｊ（ｊ＝１，２，…，Ｎ）について、第１対応コネクタ１８．１はラック構造１０の永久接続１９．ｊを経て対応する入力ポート１１．ｊにつながれ、第４対応コネクタ１８．４は永久接続２０．ｊを経て対応する出力ポート１３．ｊにつながれる。第２対応コネクタ１８．２は背面１０．２の永久接続２１．ｊ−１を経て前のモジュール位置１５．ｊ−１の第３対応コネクタ１５．３につながれる。
この相互接続装置を用いて、入力ポートにつながれた入力送信ラインと、信号バスを経て出力ポートにつながれたいくつかの出力送信ラインの間に、半永久信号相互接続がなされる。この点に関し、信号バスは２つの連続回路位置１５．ｊと１５．ｊ−１の間の永久接続２１．ｊ−１によって形成される永久バス部と、プラグ・イン回路モジュール１６上の半永久バス部からなる。このため、相互接続装置は一組の回路モジュール１６からなり、該回路モジュールは半永久バス部として遂行する特定機能に従ういくつかのタイプにサブ分割される。各回路モジュールは信号伝達機能以外に、信号変換すなわち信号処理機能（後述する）も有する回路２２を有している。図２は（ａ）から（ｈ）までの８つのタイプの回路モジュールを示している。（ａ）の第１タイプはバス入力機能をもち、このため、第１コネクタ１７．１と第３コネクタ１７．３の間に相互接続信号コンダクタ２３を有している。（ｂ）の第２タイプはバス相互接続機能をもち、このため第２コネクタ１７．２と第３コネクタ１７．３の間に相互接続信号コンダクタ２４を有している。（ｃ）の第３タイプはバス出力機能を有し、このため第２コネクタ１７．２と第４コネクタ１７．４の間に相互接続信号コンダクタ２５を有している。（ｄ）の第４タイプは、Ｉ／Ｏ機能バスをもち、このため第１コネクタ１７．１を第４コネクタ１７．４と相互接続する信号コンダクタ２６を有する。これら４つのタイプは信号バスを構成する４つの基本機能を表している。以下のタイプはこれらの結合機能を表している。（ｅ）の第５タイプはバス入力とバス出力の結合機能をもち、このため信号ディストリビュータ２７を有し、これは入力コンダクタ２７．１を経て第１コネクタ１７．１を第１出力コンダクタ２７．２を経て第３コンダクタ１７．３と相互接続し、かつ、第２出力コンダクタ２７．３を経て第４コネクタ１７．４と相互接続する。（ｆ）の第６タイプは、バス相互接続とバス出力の結合機能をもち、このため信号ディストリビュータ２８を有し、これは入力コンダクタ２８．１を経て第２コネクタ１７．２を第１出力コンダクタ２８．２を経て第３コネクタ１７．３と相互接続し、かつ、第２出力コンダクタ２８．３を経て第４コネクタ１７．４を相互接続する。（ｇ）の第７タイプはバス出力とバスＩ／Ｏの結合機能をもち、このため信号コンビネータ２９を有し、これはそれぞれ入力コンダクタ２９．１と２９．２を経て第１・第２コネクタを出力コンダクタ２９．３を経て第４コネクタと相互接続する。（ｈ）の第８タイプは４つのすべての基本機能の結合で、このため、信号コンビネータ／ディストリビュータ３０を有し、これはそれぞれ入力コンダクタ３０．１と３０．２を経て第１・第２コネクタを、それぞれ出力コンダクタ３０．３と３０．４を経て第３・第４コネクタと相互接続する。
各種タイプの回路モジュールは、１以上の入力ポート１１．１〜１１．Ｎにつながれた入力信号−伝送ライン１２と、１以上の出力ポート１３．１〜１３．Ｎにつながれた出力信号−伝送ライン１４の間を相互接続するための信号バスを構成するため、次のように用いられる。
（ａ）回路モジュールの第１タイプは、入力ポート１１．ｊが少なくとも１つの入力ポート１３．ｋ
0003986094.tif 000002
と相互接続されなければならないなら、回路位置１５．ｊ（ここでｊ＝１，…，Ｎ−１）に置かれる。
（ｂ）回路モジュールの第２タイプは、少なくとも１つの入力ポート１１．ｋ
0003986094.tif 000003
が少なくとも１つの出力ポート１３．ｍ
0003986094.tif 000004
と相互接続しなければならないなら、回路位置１５．ｊ（ここでｊ＝２，…，Ｎ−１）に置かれる。
（ｃ）回路モジュールの第３タイプは、少なくとも１つの入力ポート１１．ｋ
0003986094.tif 000005
がなお、出力ポート１３．ｊとのみ相互接続しなければならないのなら、回路位置１５．ｊ（ここでｊ＝２，…，Ｎ−１）に置かれる。
（ｄ）回路モジュールの第４タイプは、入力ポート１１．ｊが出力ポート１３．ｊとのみ相互接続されなければならないのなら、回路位置１５．ｊ（ここでｊ＝１，…，Ｎ）に置かれる。
（ｅ）回路モジュールの第５タイプは、入力ポート１１．ｊが出力ポート１３．ｊおよび少なくとも１つの次の出力ポート１３．ｋ
0003986094.tif 000006
と相互接続させられなければならないのなら、回路位置１５．ｊ（ここでｊ＝１，…，Ｎ−１）に置かれる。
（ｆ）回路モジュールの第６タイプは、少なくとも１つの入力ポート１１．ｋ（ここでｋ＜ｊ）が出力ポート１３．ｊおよび少なくとも１つの次の出力ポート１３．ｍ
0003986094.tif 000007
と相互接続させられなければならないのなら、回路位置１５．ｊ（ここでｊ＝２，…，Ｎ−１）に置かれる。
（ｇ）回路モジュールの第７タイプは、少なくとも１つの入力ポート１１．ｋ
0003986094.tif 000008
および入力ポート１１．ｊが出力ポート１３．ｊと相互接続させられなければならないのなら、回路位置１５．ｊ（ここでｊ＝２，…，Ｎ−１）に置かれる。
（ｈ）回路モジュールの第８タイプは、少なくとも１つの入力ポート１１．ｋ
0003986094.tif 000009
と入力ポート１１．ｊが出力ポート１３．ｊおよび少なくとも１つの次の出力ポート１３．ｍ
0003986094.tif 000010
と相互接続させられなければならないのなら、回路位置１５．ｊ（ここでｊ＝２，…，Ｎ−１）に置かれる。
これらのタイプの回路モジュールを用いて、すべてのＮ個の回路位置を利用する長い信号バス、すなわちセグメント長さＮをもつ１つのバス・セグメントからなる信号バスが構成される。このため、第１回路位置１１．１に第１または第５タイプの回路モジュールが置かれ、次の回路位置１１．ｊ
0003986094.tif 000011
に第２、第６または第８タイプの回路モジュールが置かれ、さいごの回路位置１１．Ｎに第３または第７タイプの回路モジュールが置かれる。第４タイプの回路モジュールは最短の信号バス−セグメント長さＬ＝１をもつ信号バスを表す。セグメント長さＬ＞１をもつ各バスは、少なくとも１つのモジュール位置に回路モジュールを除くおよび／または代えることにより、セグメント長さＬ1とＬ2
0003986094.tif 000012
をもつ２つのバス・セグメントに分割される。もちろん、適当なタイプの回路モジュールを加えることにより、あるいは代えることにより、２つのバス・セグメントを結合して１つのより長いバス・セグメントにすることもできる。それぞれ一列のモジュール位置をもつ２つのラック構造も、１つのラック構造の列におけるさいごのモジュール位置の第３対応コネクタの相互接続を経て、他のラック構造の列の最初のモジュール位置の第２対応カウンタに容易に結合され得る。
信号バス、すなわちその構成各部は、光または電気の単一信号コンダクタからなる。信号バスはまた、電気および／または光コンダクタからなる一束のコンダクタから形成される。このため、使われるコネクタと対応コネクタおよび回路モジュールは同様に複数からなる。
回路モジュールはたとえば、それ自身公知の技術による電気および／または光信号接続用周辺コネクタをもったボードまたはプリント回路として構成される。
以下、図３〜図６を参照して、スーパーＰＯＮのローカル・モードで使われる相互接続装置の第２実施例について説明する。ここで相互接続装置は必要に応じ容易に拡張され分割される信号増幅・信号配分機能を有する。
図３は入力ボード４０．１、中間ボード４０．２および出力ボード４０．３に分割されるラック構造４０を示している。入力ボード４０．１は４１．１から４１．４まで４つの入力ポートを有している。第１入力ポート４１．１に対し、フィーダの電気信号ライン４２がつながれている。出力ボード４０．３は４３．１から４３．４まで４つの出力ポートを有し、受動光ネットワークＰＮ１からＰＮ４までの（光）開フィーダ４４．１〜４４．４がつながれている。中間ボードは４５．１から４５．４まで４つのモジュール位置を有している。明瞭の便宜のため、各モジュール位置はラック構造４０の長方形開口部４５．ａとして示されている。各モジュール位置は、図４の４６．１から４６．５までの回路モジュールの１つをプラグ・インするように構成されている。このため、各回路モジュールは４７．１から４７．４まで４つのコネクタを有し、長方形開口部４５．ａの内側リブは４８．１から４８．４までの４つの対応コネクタを有している。第１コネクター対応コネクタ対４７．１−４８．１は電気信号を用いているが、他の対は光信号を用いている。モジュール位置４５．ｊ（ここでｊ＝１，…，４）のうち、第１対応コネクタ４８．１は入力ポート４１．ｊでの永久電気接続４９を有し、第４対応コネクタ４８．４は出力ポート４３．ｊでの永久光接続５０を有している。さらに、モジュール位置４５．ｊ（ここでｊ＝１，２，３）の第３対応コネクタ４８．３は次のモジュール位置４５．ｊ＋１の第２対応コネクタ４８．２との永久光接続５１をもつ。
図４に（ａ）〜（ｅ）の５つの異なる回路位置４６．１〜４６．５が示されている。第１回路モジュール４６．１は第５タイプ（図２の（ｅ））をもち、したがってバス入力・バス出力の結合機能を有している。回路モジュール４６．１はＥ／Ｏトランスデューサを有するＯＬＴ（光ライン端末）５２からなる。ＯＬＴの入力５２．１は第１コネクタ４７．１に結合し、ＯＬＴの出力５２．２は一方の光スプリッタ５３を越えて第３コネクタ４７．３に、他方、光アンプ５４を経て、第４コネクタ４７．４に結合されている。（ｂ）の第２回路モジュールは第６タイプ（図２の（ｆ））をもち、したがってバス相互接続とバス出力の結合機能を有する。回路モジュール４６．２において、第２コネクタ４７．２は光スプリッタ５５を経て、一方で第３コネクタ４７．３に結合し、他方、光アンプ５６を経て、第４コネクタ４７．４に結合している。（ｃ）の第３回路モジュールは第２タイプ（第２の（ｂ））をもち、したがってバス相互接続機能を有する。回路モジュール４６．３において、第２コネクタ４７．２が直接、第３コネクタ４７．３に結合している。それぞれ（ｄ）と（ｅ）の第４・５回路モジュール４６．４、４６．５はそれぞれ第１・２回路をモジュール４６．１、４６．２の双方向版である。このため、回路モジュール４６．４は双方向ＯＬＴ５２’（ＢＯＬＴ）と双方向アンプ５４’を有し、回路モジュール４６．５は双方向アンプ５６’を有している。
図５．１〜５．３は拡張３段階を連続的に示している。図５．１の第１段階において、フィーダ（図示せず）の送信ライン４２は３つの受動光ネットワークＰＮ１、ＰＮ２、ＰＮ４の接続に対する十分な送信容量を供給し、ネットワークＰＮ３はまだ使われていない。第１入力ポート４１．１の出力ポート４３．１、４３．２、４３．４上の相互接続は、１つのバス・セグメント（長さＬ＝４の）をもって実現され、４つのモジュール位置すべてが利用される。４５．１から４５．４までのモジュール位置において、回路モジュール４６．１、４６．２、４６．３および４６．２が連続的にプラグ・インされる。第２段階において、第３ネットワークＰＮ３もつながれる。このため、モジュール位置４５．３の回路モジュール４６．３が回路モジュール４６．２に置き代えられている。第２段階を図５．２に示す。どんな瞬間においても、フィーダの送信ライン４２の送信容量はもはや十分でなく、第２送信ライン４２が、たとえば第３入力ポート４１．３につながれ、現存信号バスが長さＬ＝２の２つのバス・セグメントに分割される。これは第３モジュール位置４５．３において、回路モジュール４６．２を回路モジュール４６．１に置き代えることによってなされる。その結果、出力ポート４３．３と４３．４はもはや第１入力ポート４１．１と相互接続されないが、第３入力ポート４１．３と相互接続される。この第３段階を図５．３に示す。
光部材が双方向に使われるスーパーＰＯＮに対して、対応する回路モジュールの双方向版が使われなければならない。
図３、４、および５．１〜５．３の場合、常に分離相互接続が形成され（すなわち、常に１つの入力ポートがいくつかの他の出力ポートをもち）、図２の（ｇ）と（ｈ）のタイプの回路モジュールは必要でない。光バス・セグメントの場合、無反射光コネクタおよび対応コネクタが使われるなら、バス・セグメントの閉鎖は特別な手段を要しない。
図６において、（ａ）〜（ｄ）に回路モジュールの変形をさらに示す。（ａ）の図４（ｂ）の４６．２の第１変形回路モジュール６１は、アンプ５６が光スプリッタ（１：４）６２、あるいはさらに一般的には、各出力において別々の光アンプ６３をもつ１＝Ｍスプリッタ（Ｍ＝２，３，…）で置き代えられた。回路モジュール６１は４重に、あるいはさらに一般的にはＭ重に構成されている。このような回路モジュールの適用に対し、モジュール位置の対応コネクタも４重さらに一般的にはＭ重に構成されねばならない。（ｂ）は回路モジュール４６．１（図４の（ａ））の第２変形６６を示し、これはＯＬＴを含まず、第１光コネクタ６７を有している。これは光接続フィーダの送信ラインを用いて、相互接続装置に用いられる。（ｃ）と（ｄ）はそれぞれ４６．１と４６．２に対する変形を示し、ＯＬＴがバス出力に置かれた。第２・第３コネクタ７２・７３は電気的である。変形７０と７１の適用に対し、第３・第４対応コネクタ間の永久相互接続（図３の５１）も電気的に構成されねばならない。
【図１】
0003986094.tif 000013
【図２】
0003986094.tif 000014
【図３】
0003986094.tif 000015
【図４】
0003986094.tif 000016
【図５．１】
0003986094.tif 000017
【図５．２】
0003986094.tif 000018
【図５．３】
0003986094.tif 000019
【図６】
0003986094.tif 000020